(57)【特許請求の範囲】
【請求項１】
遊技機本体の前面側に音を出力するスピーカと、前記スピーカの背面を覆うスピーカボックスと、遊技の動作処理を行う回路基板を収納し、その対向面が前記スピーカボックスの背面に対向するように取り付けられる基板収納ケースと、を有する遊技機であって、
前記基板収納ケースの対向面に設けられ、前記基板収納ケースを前記スピーカボックスに取り付けるためのフックと、
前記基板収納ケースの上面に設けられ、この上面から上方に突出した係止凸部と、
前記スピーカボックスの背面に形成され、前記基板収納ケースの対向面が前記スピーカボックスの背面に対向した状態のまま前記基板収納ケースを前記遊技機本体の前面側に向けて移動させたときに前記フックを挿入可能な挿入部および前記フックを前記挿入部に挿入して前記基板収納ケースを側方にスライドしたときに前記フックを係止する係止部を有する係止孔と、
下側面が開口された箱状に形成され、前記基板収納ケースの対向面が前記スピーカボックスの背面に対向した状態のまま前記基板収納ケースを前記遊技機本体の前面側に向けて移動させたときに前記係止凸部を挿入可能な切欠き部分および前記係止凸部を前記切欠き部分に挿入して前記基板収納ケースを側方にスライドしたときに前記係止凸部を収納するように係止するケース係止部分を有するケース係止部と、を備え、
前記挿入部と前記切欠き部分とは、前記基板収納ケースの対向面が前記スピーカボックスの背面に対向した状態のまま前記基板収納ケースを前記遊技機本体の前面側に向けて移動させたときに、前記フックと前記係止凸部とが同時に挿入されるような位置に形成されており、
前記フックを前記係止孔に係止したときに、前記係止孔は前記基板収納ケースにより覆われることを特徴とする遊技機。
【請求項２】
前記スピーカボックスの背面に取り付けられる前記基板収納ケースの下面を受ける受けリブを備えていることを特徴とする請求項１記載の遊技機。
【請求項３】
前記基板収納ケースのスライド方向における側面に設けられ、この側面から前記スライド方向に向けて突出した凸部と、
前記フックが前記係止孔に係止したときに、前記凸部が挿入される凸部挿入部と、を備え、
前記基板収納ケースは、前記凸部が前記凸部挿入部に挿入されることによって、前記基板収納ケースの側方へのスライドを阻止されることを特徴とする請求項１または２記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
遊技場に設置される弾球遊技機の一つとしてパチンコ機が挙げられる。このパチンコ機には、パチンコ球（遊技球）が打ち出される遊技領域が形成された遊技盤が本体ユニットに配設され、その遊技盤の前面がガラス板を保持したガラス枠により被覆される構成となっている。遊技盤面には、レールにより規制された遊技領域が形成され、この遊技領域には複数の釘、風車、始動入賞口、アタッカ、図柄可変表示装置、等が設けられた構成となっている。これら始動入賞口、アタッカ及び払出入賞口にパチンコ球が入ることを入賞とし、入賞によりパチンコ球を獲得することができる。パチンコ球には一定の価値が与えられ、遊技を行って獲得したパチンコ球を種々の景品に交換することができる。
【０００３】
このようなパチンコ機では、パチンコ機の前面側に音を出力するスピーカが本体ユニットに配設されており、遊技中にスピーカから音を出力することにより、遊技を興趣に溢れたものにしている。スピーカは、良質な音を出力するためにスピーカボックスに収納され、その側面及び背面が覆われている（例えば、特許文献１参照）。また、本体ユニットには、図柄可変表示装置やスピーカ等の駆動を制御する制御回路基板が配設されている。この制御回路基板は、基板収納ケースに収納されており、基板収納ケースは、本体ユニットの背面側に取り付けられている。
【０００４】
パチンコ機の性能を向上させるために、近年では制御回路基板は大型化しており、これに伴い基板収納ケースも大型化している。このため、基板収納ケースを取り付けるスペースが確保しにくいという問題があった。そこで、基板収納ケースをスピーカボックスの背面側に取り付けることが考えられる。この場合には、スピーカボックスの背面に基板収納ケースを取り付けるための孔を形成し、この孔に基板収納ケースに設けたフックを挿入して基板収納ケースをスピーカボックスに取り付ける。
【特許文献１】特開２００４−８１５９５号公報
【発明の開示】
【発明が解決しようとする課題】
【０００５】
しかしながら、スピーカボックスに孔を形成すると、スピーカの密閉度が低下し、スピーカの音質が低下してしまうという問題があった。
【０００６】
本発明は、上記課題を解決するためになされたものであり、スピーカの音質を低下させることなく、スピーカボックスの背面側に基板収納ケースを取り付けることができる遊技機を提供することを目的とする。
【課題を解決するための手段】
【０００７】
本発明の遊技機は、遊技機本体の前面側に音を出力するスピーカと、前記スピーカの背面を覆うスピーカボックスと、遊技の動作処理を行う回路基板を収納し、その対向面が前記スピーカボックスの背面に対向するように取り付けられる基板収納ケースと、を有する遊技機であって、前記基板収納ケースの対向面に設けられ、前記基板収納ケースを前記スピーカボックスに取り付けるためのフックと、前記基板収納ケースの上面に設けられ、この上面から上方に突出した係止凸部と、前記スピーカボックスの背面に形成され、前記基板収納ケースの対向面が前記スピーカボックスの背面に対向した状態のまま前記基板収納ケースを前記遊技機本体の前面側に向けて移動させたときに前記フックを挿入可能な挿入部および前記フックを前記挿入部に挿入して前記基板収納ケースを側方にスライドしたときに前記フックを係止する係止部を有する係止孔と、下側面が開口された箱状に形成され、前記基板収納ケースの対向面が前記スピーカボックスの背面に対向した状態のまま前記基板収納ケースを前記遊技機本体の前面側に向けて移動させたときに前記係止凸部を挿入可能な切欠き部分および前記係止凸部を前記切欠き部分に挿入して前記基板収納ケースを側方にスライドしたときに前記係止凸部を収納するように係止するケース係止部分を有するケース係止部と、を備え、前記挿入部と前記切欠き部分とは、前記基板収納ケースの対向面が前記スピーカボックスの背面に対向した状態のまま前記基板収納ケースを前記遊技機本体の前面側に向けて移動させたときに、前記フックと前記係止凸部とが同時に挿入されるような位置に形成されており、前記フックを前記係止孔に係止したときに、前記係止孔は前記基板収納ケースにより覆われることを特徴とする。なお、前記回路基板としては、遊技機に設けられた各種駆動装置の駆動を制御する制御回路基板、電源のオン／オフ制御を行う電源回路基板、等が挙げられる。
【０００８】
また、前記スピーカボックスの背面に取り付けられる前記基板収納ケースの下面を受ける受けリブを備えていることが好ましい。
【０００９】
さらに、前記基板収納ケースのスライド方向における側面に設けられ、この側面から前記スライド方向に向けて突出した凸部と、前記フックが前記係止孔に係止したときに、前記凸部が挿入される凸部挿入部と、を備え、前記基板収納ケースは、前記凸部が前記凸部挿入部に挿入されることによって、前記基板収納ケースの側方へのスライドを阻止されることが好ましい。また、前記フックを前記係止孔に係止するときに前記基板収納ケースの位置決めを行う位置決め部を備えることが好ましい。
【発明の効果】
【００１０】
本発明の遊技機によれば、遊技機本体の前面側に音を出力するスピーカと、スピーカの背面を覆うスピーカボックスと、遊技の動作処理を行う回路基板を収納し、スピーカボックスに取り付けられる基板収納ケースと、基板収納ケースに設けられ、基板収納ケースをスピーカボックスに取り付けるためのフックと、スピーカボックスに形成され、フックを係止する係止孔と、を備え、フックを係止孔に係止したときに、係止孔は基板収納ケースにより覆われるから、スピーカの音質を低下させることなく、スピーカボックスの背面側に基板収納ケースを取り付けることができる。
【００１１】
また、係止孔は、フックを挿入可能な挿入部と、フックを挿入部に挿入して基板収納ケースを一方向にスライドしたときにフックを係止する係止部と、を備えたから、フックを挿入部に挿入した後に、基板収納ケースを一方向にスライドして、フックを係止部で係止するだけで、容易に基板収納ケースをスピーカボックスに係止することができる。
【００１２】
さらに、フックを係止孔に係止するときに基板収納ケースの位置決めを行う位置決め部を備えたから、より一層容易に基板収納ケースをスピーカボックスに係止することができる。
【発明を実施するための最良の形態】
【００１３】
図１に示すように、遊技機の１実施例であるパチンコ機（遊技機）２は、本体枠（遊技機本体）３の内部に遊技盤４が配設されており、本体枠３の前面には前面扉５が開閉自在に取り付けられている。前面扉５の下方には、打球供給用の供給皿６及びパチンコ球７の打ち出し強さを調節する操作ハンドル８が設けられている。遊技盤４のパチンコ球７が打ち出される遊技領域４ａの略中央には、始動入賞口１０へパチンコ球７を入賞させるなどの所定入賞条件に基づいて遊技中に様々な図柄を液晶画面に所定時間内において変動表示させた後に停止表示させる図柄可変表示装置９が設けられている。図柄可変表示装置９の周りには、始動入賞口１０、通常入賞口１１、通過入賞口１２、アタッカ１３、アウト口１４が設けられており、アタッカ１３は、遊技盤４に一体的に組み付けられている。また、遊技盤４の略中央には、センター役物１５が一体的に組み付けられており、センター役物１５に形成された開口１５ａを介して、図柄可変表示装置９を視認することができる。
【００１４】
各入賞口１０〜１２内には、各入賞口１０〜１２に入ったパチンコ球７を検知する入賞球検知センサ１６（図４参照）が設けられている。遊技者は、供給皿６にパチンコ球７を投入してパチンコ球７を供給皿６内に設けられた誘導路を介して球発射装置１７（図４参照）へと導き、回動式の操作ハンドル８を所定量回動して球発射装置１７の駆動を制御することで、遊技盤４の遊技領域４ａの上方に向けてパチンコ球７を打ち出す。打ち出されたパチンコ球７は遊技領域４ａの上方から流下する途中で各入賞口１０〜１２のいずれかまたはアタッカ１３に入るか、あるいはアウト口１４から回収される。アタッカ１３の奥には大入賞口１８が設けられており、大入賞口１８内には、大入賞口１８に入ったパチンコ球７を検知する大入賞球検知センサ１９（図４参照）が設けられている。アタッカ１３は大入賞口１８を開放する開放位置と大入賞口１８を閉じる閉じ位置との間で回動自在に取り付けられている。なお、パチンコ機２の遊技領域４ａに設けられている複数の釘、風車などの構造物は公知であるので説明は省略する。
【００１５】
供給皿６の内面には、後述するスピーカ２１から発せられる音をパチンコ機２の前面側に出力するための出力孔６ａが、複数設けられている。
【００１６】
図２にパチンコ機２の下側端部の背面斜視図を示す。本体枠３の内部であって、出力孔６ａの背面側には、スピーカ２１（図３参照）が取り付けられている。スピーカ２１は、その側面及び背面がスピーカボックス２２により覆われている。スピーカボックス２２は、ビス（図示せず）により、本体枠３の内部に設けられた取付部材に取り付けられている。なお、スピーカボックス２２には、内部に空気を入れるためのダクト孔（図示せず）が形成されている。このダクト孔のサイズは、スピーカ２１の性能に応じて適宜変更されるものである。
【００１７】
図２及び図３に示すように、スピーカボックス２２の背面には、後述する基板収納ケース３１に形成された上フック（フック）３２を係止するための上フック係止孔（係止孔）２３が形成されている。上フック係止孔２３は、上フック３２を挿入可能なサイズの挿入部２３ａと、挿入部２３ａよりも上下方向のサイズが小さく、挿入された上フック３２を係止する係止部２３ｂとからなり、略Ｌ字状に形成されている。係止部２３ｂは、挿入部２３ａの右側端の上側端部に連続して形成されている。
【００１８】
本体枠３の背面下側端部には、ボックス状のベース２５が取り付けられている。ベース２５の背面には、後述する基板収納ケース３１に形成された第１，第２下フック（フック）３３，３４を係止するための第１下フック係止孔２６及び第２下フック係止孔２７が形成されている。第１下フック係止孔２６は、第１下フック３３を挿入可能なサイズの挿入部２６ａと、挿入部２６ａよりも上下方向のサイズが小さく、挿入された第１下フック３３を係止する係止部２６ｂと、からなり、略Ｌ字状に形成されている。係止部２６ｂは、挿入部２６ａの右側端の下側端部に連続して形成されている。第２下フック係止孔２７は、第１下フック係止孔２６と同様に、挿入部２７ａと、係止部２７ｂと、からなり、略Ｌ字状に形成されている。また、ベース２５の背面には、基板収納ケース３１の受けとなる略Ｌ字状の受けリブ２５ａが形成されている。
【００１９】
本体枠３には、遊技盤４が取り付けられる遊技盤取付部材２８が取り付けられている。
遊技盤取付部材２８の背面には、基板収納ケース３１に形成された係止凸部３５を係止するためのケース係止部２９が形成されている。ケース係止部２９は、下側面が開口された箱状に形成され、係止凸部３５を挿入するための切欠き２９ａが形成されている。
【００２０】
本体枠３の背面下側端部には、基板収納ケース３１に形成されたビス締凸部３６が挿入されるビス締凸部挿入部３０が形成されている。ビス締凸部挿入部３０は、左側面が開口された箱状に形成され、背面（図２における前面）にはビス締め用挿通孔３０ａが形成されている。
【００２１】
図３に示すように、スピーカボックス２２の背面、ベース２５の背面、遊技盤取付部材２８の背面は、前後方向（図３における左右方向）において略同一面となるようにされている。なお、図３（Ａ）は、遊技盤取付部材２８に形成されたケース係止部２９の切欠き２９ａと、スピーカボックス２２に形成された上フック係止孔２３の挿入部２３ａと、ベース２５に形成された第１下フック係止孔２６の挿入部２６ａと、を通る線での側面断面図である。また、図３（Ｂ）は、ケース係止部２９の切欠き２９ａではない部分（ケース係止部分）と、上フック係止孔２３の係止部２３ｂと、第１下フック係止孔２６の係止部２６ｂと、を通る線での側面断面図である。
【００２２】
図２に示すように、主制御基板（回路基板）４１（図４参照）は、基板収納ケース３１に収納されている。これにより、主制御基板４１に対して何人も接触できないよう防護している。基板収納ケース３１の背面（対向面）には、断面が略Ｌ字状の上フック３２、第１下フック３３、第２下フック３４が形成されている。上フック３２は、背面の上下方向における中心よりも上側に、第１，第２下フック３３，３４は下側に形成されている。上フック３２は、基板収納ケース３１の後方に突出し、突出した先端部が下側に曲げられ、第１，第２下フック３３，３４は、基板収納ケース３１の後方に突出し、突出した先端部が上側に曲げられて形成されている。
【００２３】
基板収納ケース３１の上面には、係止凸部３５が形成されている。基板収納ケース３１の左側面には、ビス締凸部（凸部）３６が形成されており、このビス締凸部３６には、ビス締め用のビス締孔３６ａが形成されている。ビス３８（図７参照）を、ビス締凸部挿入部３０のビス締め用挿通孔３０ａを介してビス締孔３６ａにビス締めすると、基板収納ケース３１が固定される。
【００２４】
図４に示すように、パチンコ機２の作動は基本的に主制御基板（回路基板）４１、副制御基板４２によって管制される。主制御基板４１と副制御基板４２とには、それぞれ接続端子が設けられ、接続ケーブル等で接続端子を接続することにより主制御基板４１と副制御基板４２とは電気的に接続される。副制御基板４２は、主制御基板４１と同様に収納ケース（図示せず）に収納され、副制御基板４２に対して何人も接触できないよう防護している。
【００２５】
主制御基板４１は、メインＣＰＵ（ｃｅｎｔｒａｌ  ｐｒｏｃｅｓｓｉｎｇ  ｕｎｉｔ）４１ａ及びメインＲＯＭ（ｒｅａｄ  ｏｎｌｙ  ｍｅｍｏｒｙ）４１ｂ及びメインＲＡＭ（ｒａｎｄｏｍ  ａｃｃｅｓｓ  ｍｅｍｏｒｙ）４１ｃ、大当り抽選部４１ｄを備える。メインＣＰＵ４１ａは、入賞球検知センサ１６から入力される入力信号に応じて、メインＲＯＭ４１ｂに記憶されている遊技制御プログラムを読み込んでパチンコ機の遊技状態を制御する命令を生成すると共に、副制御基板４２に命令情報を送信して所定の遊技状態となるように実行させる。メインＲＯＭ４１ｂには、遊技制御プログラムおよび乱数生成処理プログラムおよび乱数テーブルなどが所定の領域に格納されており、これらはメインＣＰＵ４１ａによって読み出され、演算処理されるように適宜用いられる。メインＲＡＭ４１ｃは、ワーキングエリアとなっており、遊技において利用されるデータなどの一時的保管や書き換えなどに用いられる。
【００２６】
メインＣＰＵ４１ａは、入賞球検知センサ１６からの信号が入力されると、メインＲＯＭ４１ｂに記憶されている遊技制御プログラムに基づいて、球払出装置４５を駆動して所定個数の賞球を供給皿６上に払い出す。なお、賞球の個数は、遊技球が入った各入賞口１０、１１の種類に応じて適宜設定して良い。また、球発射装置１７は、メインＣＰＵ４１ａに接続されており、メインＣＰＵ４１ａにより駆動が制御される。
【００２７】
副制御基板４２は、サブＣＰＵ４２ａ、サブＲＯＭ４２ｂ及びサブＲＡＭ４２ｃを備える。サブＣＰＵ４２ａは、サブＲＯＭ４２ｂに格納された副制御装置用制御プログラムを適宜読み出し、主制御基板４１から命令情報として入力される制御信号に応じて、副制御用制御プログラムに従って、図柄可変表示装置９やスピーカ２１等の駆動制御を行う。サブＲＡＭ４２ｃはワーキングエリアとなっており、図柄可変表示装置９やスピーカ２１の制御において利用されるデータなどの一時的保管や書き換えなどに用いられる。
【００２８】
始動入賞口１０に入ったパチンコ球７が入賞球検知センサ１６により検知されると、メインＣＰＵ４１ａにスタート信号が入力される。メインＣＰＵ４１ａはスタート信号に応答して大当り抽選部４１ｄを作動させる。
【００２９】
大当り抽選部４１ｄは、乱数発生器、乱数サンプリング回路、大当り決定テーブルを含んでおり、始動入賞口１０の入賞球検知センサ１６によりパチンコ球７の入賞が検知されるたびに１つの乱数値を抽選する。抽選された乱数値は大当りテーブルと照合され、大当りモードに移行させるか否かが抽選判定の結果として決定され、該決定に係る情報（例えばコマンド）が生成される。
【００３０】
大当り決定テーブルでは、乱数値がその大きさに応じて３つのグループにグループ分けされている。３つの乱数値グループには、ハズレ、通常大当たりモードに移行させる「通常大当たり」、通常時とは大当たり確率が異なる確率変動大当たり（以下、確変大当り）モードに移行させる「確変大当り」がそれぞれ割り当てられており、サンプリングされた乱数値がいずれのグループに属する値であるかによって、ハズレ及び大当りのいずれかにするかを決定する当選判定が行われる。抽選が終了すると抽選結果信号がメインＣＰＵ４１ａにフィードバックされる。メインＣＰＵ４１ａは、抽選結果信号をサブＣＰＵ４２ａに送る。
【００３１】
メインＣＰＵ４１ａは、大当り抽選部４１ｄで「通常大当たり」、または「確変大当た
り」が抽選されると、アタッカ１３を開放位置まで回動し、アタッカ１３が３０秒開放されるか、または大入賞口１８にパチンコ球７が１０個入賞される（大入賞球検知センサ１９によりパチンコ球７が１０個検知される）かを１ラウンドとして、所定ラウンド（例えば、１５ラウンド）を継続して実行する。また、「確変大当たり」が抽選されると、次回大当たりが抽選される、または所定回数（例えば、７回）大当り抽選部４１ｄで当選判定が行われるまで、通常時とは異なる確変大当り決定テーブルが抽選時に用いられる。
【００３２】
副制御基板４２のサブＲＯＭ４２ｂには、各特別図柄のグラフィックデータ、停止図柄用乱数サンプリング回路、停止図柄テーブルが格納されている。サブＣＰＵ４２ａは、抽選結果信号が入力されると、サブＲＯＭ４２ｂに格納させた停止図柄用乱数サンプリング回路に基づいて乱数値のサンプリングを行わせ、サンプリングされた乱数値を停止図柄テーブルと比較させる。停止図柄テーブルはハズレ用、大当り用、確変大当たり用の３種類設けられており、サンプリングされた乱数値は大当り抽選部４１ｄでの抽選結果に対応する停止図柄テーブルと照合される。ぞれぞれの停止図柄テーブルには、グループ分けされた乱数値に入賞有効ライン上に停止させる特別図柄の組み合わせが割り当てられており、サンプリングされた乱数値がいずれのグループに属する値であるかによって、入賞有効ライン上に停止される特別図柄の組み合わせが決定される。サブＣＰＵ４２ａは、決定された特別図柄の組み合わせに基づき、図柄可変表示装置９での特別図柄の変動表示及び停止表示の制御を行う。なお、停止図柄テーブルには、例えば入賞有効ライン上に特別図柄が２個停止したときに特定の特別図柄が揃った状態、つまりはリーチ状態となったときの特別図柄の変動態様、図柄可変表示中に行われるリーチ予告での特別図柄の変動態様、大当り予告での特別図柄の停止態様など、通常時とは異なる特別図柄の変動態様を行わせるか否かのデータも含まれている。
【００３３】
上記のように構成されたパチンコ機２の作用について説明する。基板収納ケース３１を取り付ける場合には、先ず、図５（Ａ）に示すように、基板収納ケース３１の係止凸部３５が、遊技盤取付部材２８に形成されたケース係止部２９の切欠き２９ａに対向し、上フック３２が、スピーカボックス２２に形成された上フック係止孔２３の挿入部２３ａに対向し、第１下フック３３が、ベース２５に形成された第１下フック係止孔２６の挿入部２６ａに対向するように、基板収納ケース３１を位置させる。次に、図５（Ｂ）及び図６に示すように、係止凸部３５を切欠き２９ａに、上フック３２を挿入部２３ａに、第１下フック３３を挿入部２６ａに、第２下フック３４を挿入部２７ａに、それぞれ挿入する。このとき、第１下フック３３の下側面を、ベース２５の第１下フック係止孔２６を形成する下側面に当接させ、第２下フック３４の下側面を、ベース２５の第２下フック係止孔２７を形成する下側面に当接させるだけで、容易に基板収納ケース３１の上下方向の位置決めを行うことができる。本実施形態では、上フック３２を上フック係止孔２３に係止するときに基板収納ケース３１の位置決めを行う位置決め部は、第１下フック３３の下側面及びベース２５の第１下フック係止孔２６を形成する下側面と、第２下フック３４の下側面及びベース２５の第２下フック係止孔２７を形成する下側面と、から構成されている。さらに、基板収納ケース３１の底面は、受けリブ２５ａの上面に載せられるため、第１及び第２下フック３３，３４に基板収納ケース３１の重量が加わった場合にも、第１及び第２下フック３３，３４が変形することがない。
【００３４】
そして、基板収納ケース３１を、図７中Ａ方向にスライドさせると、図５（Ｃ）及び図７に示すように、係止凸部３５はケース係止部２９により係止され、上フック３２は係止部２３ｂにより係止され、第１下フック３３は係止部２６ｂにより係止され、同様にして、第２下フック３４は係止部２７ｂにより係止される。この状態で、図７に示すように、ビス３８を、ビス締凸部挿入部３０のビス締め用挿通孔３０ａを介して、ビス締凸部３６のビス締孔３６ａにビス締めすると、基板収納ケース３１が固定される。このとき、スピーカボックス２２に形成された上フック係止孔２３は、基板収納ケース３１により覆われる。
【００３５】
このように、スピーカボックス２２の背面に上フック係止孔２３を形成し、基板収納ケース３１の背面に上フック３２を形成し、基板収納ケース３１をスピーカボックス２２の背面に係止したときに、上フック係止孔２３を、基板収納ケース３１により覆うから、スピーカボックス２２によるスピーカ２１の密閉度を低下させる（スピーカ２１の音質を低下させる）ことなく、基板収納ケース３１をスピーカボックス２２に係止することができる。
【００３６】
なお、上記実施形態では、スピーカボックス２２の背面に上フック係止孔２３を形成したが、スピーカボックス２２の側面にフック係止孔を形成するようにしてもよく、この場合にも、基板収納ケース３１をスピーカボックス２２に係止したときに、基板収納ケース３１によりフック係止孔を覆うようにする。
【００３７】
また、上記実施形態では、基板収納ケース３１を図２中Ａ方向である右方向にスライドさせて、スピーカボックス２２に係止するようにしたが、基板収納ケース３１を図２における下方向にスライドさせて、スピーカボックス２２に係止するようにしてもよい。
【００３８】
さらに、上記実施形態では、パチンコ機２を例に挙げて説明したが、スロットマシンやパロット（メダルの代わりにパチンコ球で遊技を行うスロットマシン）などの各種遊技機についても本発明は適用できる。
【図面の簡単な説明】
【００３９】
【図１】本発明を実施したパチンコ機の外観を示す斜視図である。
【図２】基板収納ケースと、スピーカボックス周辺とを示す背面斜視図である。
【図３】スピーカとスピーカボックスとベースと遊技盤取付部材と示す側面断面図である。
【図４】機能ブロック図である。
【図５】スピーカとスピーカボックスとベースと遊技盤取付部材と基板収納ケースと示す側面断面図である。
【図６】基板収納ケースのフックをフック係止孔に挿入した状態の基板収納ケースと、スピーカボックス周辺とを示す背面斜視図である。
【図７】基板収納ケースを固定した状態の基板収納ケースと、スピーカボックス周辺とを示す背面斜視図である。
【符号の説明】
【００４０】
２  パチンコ機（遊技機）
３  本体枠（遊技機本体）
２１  スピーカ
２２  スピーカボックス
２３  上フック係止孔（係止孔）
２３ａ  挿入部
２３ｂ  係止部
２５  ベース
２５ａ  受けリブ
２６  第１下フック係止孔
２６ａ  挿入部
２６ｂ  係止部
２７  第２下フック係止孔
２７ａ  挿入部
２７ｂ  係止部
２８  遊技盤取付部材
２９  ケース係止部
２９ａ  切欠き
３１  基板収納ケース
３２  上フック（フック）
３３  第１下フック（フック）
３４  第２下フック（フック）
３５  係止凸部
３６  ビス締凸部
４１  主制御基板（回路基板）
【図１】
0004417302.tif 000002
【図２】
0004417302.tif 000003
【図３】
0004417302.tif 000004
【図４】
0004417302.tif 000005
【図５】
0004417302.tif 000006
【図６】
0004417302.tif 000007
【図７】
0004417302.tif 000008